(57)【要約】【課題】      低コントラストと、応答時間が遅いという問題を改善し、かつ高い開口率を具え、画素の大きさの制限を受けることのない液晶表示装置を提供する。【解決手段】  ２枚の基板の間に液晶層を形成し、一方の基板は表面には一画素をマルチドメインに分割するマルチドメインパターンを形成し、他の基板は表面に複数の長条形パターンを形成し、該長条形パターンと該マルチドメインによって該画素を分割してマルチドメイン垂直配向モードの液晶表示装置を構成する。【選択図】    図２Ａ
2005173550.tif 000002
【特許請求の範囲】
【請求項１】
２枚の基板の間に液晶層を形成し、一方の基板は表面には一画素をマルチドメインに分割するマルチドメインパターンを形成し、他の基板は表面に複数の長条形パターンを形成し、該長条形パターンと該マルチドメインによって該画素を分割してマルチドメイン垂直配向モードの表示装置を構成することを特徴とする液晶表示装置。
【請求項２】
前記画素は、基板上に形成するトランジスタと、該トランジスタのドレインに電気的に接続する画素電極を含むことを特徴とする請求項１に記載の液晶表示装置。
【請求項３】
前記ドメインパターンが、前記画素電極上に形成されることを特徴とする請求項１に記載の液晶表示装置。
【請求項４】
前記ドメインパターンが、該画素の周囲を取り巻くパターンと、前記画素を分割するパターンとを含むことを特徴とする請求項１に記載の液晶表示装置。
【請求項５】
前記画素を分割するパターンが、＋状、＋＋状、またはＨ字状に形成されることを特徴とする請求項４に記載の液晶表示装置。
【発明の詳細な説明】
【技術分野】
【０００１】
本発明は、液晶表示装置に関し、特にマルチ領域垂直配向モードの液晶表示装置に関する。
【背景技術】
【０００２】
ツイスト配向モード（TN  mode）の液晶表示装置は視角が狭く、かつルグレイスケールの反転と中間トーンの応答時間が遅いという問題を有する。よって、液晶パネルなどの平面状の表示装置に応用する場合、制限を受ける。特にテレビジョンへの応用は、かなりの制限を受ける。視角が狭いという問題は、ツイスト配向モードの液晶表示装置に視角を補償するフィルムを組み合わせる技術によって改善することができる。特殊なフィルムを液晶表示パネルの表面特殊なフィルムを設けることによって、水平の視角が９０°から１４０°に至るまで拡張することができる。しかし、ツイスト配向モードの液晶表示装置に視角を補償するフィルムを設ける技術は、ツイスト配向モードの液晶表示装置の低コントラストと、応答時間が遅いという問題に対して何ら役立たない。しかも、カラーシフトの問題が発生する。
【０００３】
視角の問題を改善するための技術として、別途電界をスイッチングする技術（In-Plane  Seiching：IPS）が挙げられる。即ち、横方向の電界をスイッチングする技術は、ツイスト配向モードの液晶表示装置に比して、液晶分子の配向をガラス基板に対して平行にする点において異なる。横方向の電界スイッチング技術は視角を１７０°まで拡張することができ、ＣＲＴモニターと同程度の効果が得られる。しかし、かかる技術にも欠点がある。液晶の回転方向の関係で、画素電極のアレイをガラス基板側のみにしか配設できない。この点において、ツイスト配向モードの液晶表示と異なる。これら電極は、下層の基板表面にコーム状に配設される。よって、低コントラストの原因となるためバックライトの輝度を高めなければならない。また、横方向に電界をスイッチングするモードは、コントラストと応答時間の問題について、従来の薄膜トランジスタ・ツイスト配向（ＴＦＴ-ＴＮ）と比較した場合、何ら改善はされていない。
【０００４】
上述するコントラストと応答時間の問題を解決するために、垂直配向（Vertical  Alignment：ＶＡ）技術が開発された。かかる技術は、高透過率、対称性の広視角、拘束応答、グレイスケールが反転しない、カラーシフトが極めて少ないなどの効果が得られ、目下、垂直配向技術に関連する技術が数多く開発されている。しかし、上述する効果が十分に達成されているとはいえない。
【０００５】
ＥＰ０８８４６２６号にはマルチドメイン垂直配向技術が開示されている。即ち、両側のガラス基板のいずれにもＶ字状の突起物（Protrusionか、bump）を形成し、その作用によって近在する液晶分子を異なる方向のドメインに傾斜させ、液晶を対称的に配列させて広視角の目的を達成する。マルチドメイン配向技術によって製造される液液晶表示装置は、水平と垂直の視角が１６０°を超え、１７０°に至る場合もある。また、マルチドメイン垂直配向か技術は、突起物と電力線の湾曲によって、応答時間が２５ｍｓに至るまで短縮する。よって、ＩＰＳ、ＴＮモード技術の応答時間の半分ほどになり、色彩の表示もリアル性を有する。
【０００６】
ＵＳ６０９７４６４号には、上述するマルチドメイン垂直配向技術に類似した技術にフォト・スペーサー技術の特徴を組み合わせて開発したマルチドメイン分割垂直配向型（Multi-domain  HomeoTropic  Alignment：ＭＨＡ）の広視角液晶表示装置にかかる技術が開示されている。この技術においては、一方のガラス基板のそれぞれの画素内に十字状のバンプを形成し、他方のガラス基板のそれぞれの画素には口字状のバンプを形成し液晶分子が４つの方向に傾斜するように制御してマルチドメインを形成する。しかし、マルチドメイン分割垂直配向技術（ＭＨＡ）は開口率がマルチドメイン垂直配向技術に比して大きいが、その画素の大きさが制限を受ける、よって、比較的大きい画素に応用する場合、液晶が完全に傾斜する時間が長くなり、画面に残像現象が発生する。
【０００７】
よって、従来のツイスト配向モード、視角を補償するフィルムを設ける技術、もしくは横方向に電界をスイッチングする技術における低コントラストと応答時間が遅いという欠点、マルチドメインス直配向技術（ＭＶＡ）における開口率が低いという欠点、マルチドメイン分割垂直配向型（ＭＨＡ）における開口率は高いが画素のサイズの制限を受けるという欠点などを改善することが業界において課題となっている。
【特許文献１】ＥＰ０８８４６２６号公報
【特許文献２】ＵＳ６０９７４６４号公報
【発明の開示】
【発明が解決しようとする課題】
【０００８】
本発明は、従来の技術における低コントラストと、応答時間が遅いという問題を改善し、かつ高い開口率を具え、画素の大きさの制限を受けることのない液晶表示装置を提供することを課題とする。
【課題を解決するための手段】
【０００９】
そこで、本発明者らは、従来の技術に鑑み鋭意研究を重ねた結果、２枚の基板の間に液晶層を形成し、一方の基板に画素を複数のドメインに分割するバンプを形成し、他の基板に複数の長条形パターンを形成する。かかる２枚の基板を組立て、液晶を注入し、該長条形パターンと該バンプとによって該画素を分割して構成するマルチドメイン垂直配向モードの液晶表示装置の構造とによって課題を解決できる点に着眼し、かかる知見に基づき本発明を完成させた。
【００１０】
以下、本発明について具体的に説明する。
【００１１】
請求項１に記載する液晶表示装置は、２枚の基板の間に液晶層を形成し、一方の基板は表面には一画素をマルチドメインに分割するマルチドメインパターンを形成し、他の基板は表面に複数の長条形パターンを形成し、該長条形パターンと該マルチドメインによって該画素を分割してマルチドメイン垂直配向モードの液晶表示装置を構成する。
【００１２】
請求項２に記載する液晶表示装置は、請求項１における画素が、基板上に形成するトランジスタと、該トランジスタのドレインに電気的に接続する画素電極を含む。
【００１３】
請求項３に記載する液晶表示装置は、請求項１におけるドメインパターンが、該画素電極上に形成される。
【００１４】
請求項４に記載する液晶表示装置は、請求項１におけるドメインパターンが、該画素の周囲を取り巻くパターンと、該画素を分割するパターンとを含む。
【００１５】
請求項５に記載する液晶表示装置は、請求項４における画素を分割するパターンが、＋状、＋＋状、またはＨ字状に形成される。
【発明の効果】
【００１６】
本発明の液晶表示装置は、従来の技術における低コントラストと、応答時間が遅いという問題を改善し、かつ高い開口率を具え、画素の大きさの制限を受けることなく高速の応答時間が得られるという利点がある。
【発明を実施するための最良の形態】
【００１７】
本発明は、マルチ領域垂直配向モードの液晶表示装置を提供するものであって、２枚の基板を具え、その内の１枚にバンプを形成し、画素を複数のドメインに分割し、他の基板に複数の長条形パターンを形成する。かかる２枚の基板を組立て、液晶を注入し、該長条形パターンと該バンプとによって該画素を分割して構成する。
【００１８】
かかる構成の液晶表示装置について、その構造と特徴を詳述するために具体的な実施例を挙げ、以下に説明する。
【実施例１】
【００１９】
図１に本発明による液晶表示装置の画素単位を開示する。図面に開示する画素の領域は、対向する両辺に沿って設けられるゲートライン（１２）と、対向する両辺に沿って設けられるビットライン（１４）とによって範囲を限定される領域である。該領域内に画素電極（１０）を設ける。画素電極（１０）は、トランジスタ（１６）のドレインと電気的に接続し、該トランジスタ（１６）を介して画素電極（１０）を制御して、液晶表示装置に所定のパターンを表示する。
【００２０】
本発明の好ましい実施例においては、基板上に田の字状のバンプを形成する。図２Ａに開示するように該基板のマルチドメインパターン（２０）は口の字状の方形バンプ（２２）と十字状バンプ（２４）とを有する。方形バンプ（２２）と十字状バンプ（２４）とは同時に形成するか、もしくは前後して形成してもよい、図２Ａには、先に十字状バンプ（２４）を形成して方形バンプ（２２）を形成する例を開示する。また、これらバンプは側面から見た場合円弧状の上部を有するバンプであるか、方形の上部を有するバンプであるか、もしくは三角形の上部を有するバンプであってもよく、好ましくは平均３〜２５度の角度の傾斜を形成する。
【００２１】
他の基板には、図２Ｂに開示するように長条形パターン（２８）を形成する。長条形パターン（２８）と方形バンプ（２２）とによって形成されるマルチドメインパターン（２０）とを重ね合わせた場合、長条形パターン（２８）は、マルチドメインパターン（２０）の約ニ等分になる。長条形パターン（２８）は、画素電極か、もしくはコモン電極層上に形成される。長条形パターン（２８）の構造は、画素電極上に円弧状の底部を形成してなる凹状構造か、方形の底部を有する凹状構造か、もしくは三角形の底部を形成してなる凹状構造であり、好ましくは、方形構造である。
【００２２】
図２Ｃに、２枚の基板を連結した後の液晶表示装置を開示する。２枚の基板を連結すると長条形パターン（２８）はマルチドメインパターン（２０）によって形成される領域を分割する。好ましくは、マルチドメインパターン（２０）の領域を等分するように構成する。一般に液晶表示装置の画素は方形を呈し、長さと幅は１：３の比率を構成する。ゆえにマルチドメインパターン（２０）が分割されて形成されるマルチドメイン領域も方形である。好ましくは、長条形パターン（２８）が方形のマルチドメインの一方の辺に平行し、且つ該一方の辺が長辺となるように構成する。かかる構成によって液晶の応答時間に関する問題を改善することができる。
【００２３】
図３Ａ、図３Ｂはそれぞれ図２Ｃにおける領域Ａの液晶分子（１００）のプレ・チルテッド（Pre-tilted）方向において画素をオフ、またはオンにした（ＯＦＦ／ＯＮ）状態の平面説明図である。本発明の図面においては液晶分子（１００）の線を記入した一端が下方に向かう一端であり、線を記入しない一端が上方に向かう一端である。本発明による液晶表示装置の液晶分子（１００）のプレ・チルテッドの状況から分かるように方形バンプ（２２）、十字状バンプ（２４）と、長条形パターン（２８）の構造との両者は互いに組み合わせても用いる。電圧を印加しない状態において液晶分子（１００）はバンプの表面において垂直になる。よってバンプ表面に存在する液晶は所定の角度で傾斜する。電圧を印加した状態において液晶分子（１００）は、電界の影響を受けて傾斜角度が変化する。このため画素の透過率が変化する。
【００２４】
図４Ａ、図４Ｂは、それぞれ図３Ａ及び図３Ｂにおけるa’−a線に沿った断面の側面図である。一方の基板（１０２）は、方形バンプ（２２）を有し、他方の基板（１０４）は層状構造（１０６）を有するとともに、該層状構造（１０６）上に長条形パターン（２８）を形成する。電圧を印加しない状態（図４Ａ）において、方形バンブ(２２)の表面に位置する液晶分子（１００）は所定の角度で傾斜する。ただし、その他部分の液晶分子（１００）は、いずれも基板（１０２）と基板（１０４）の表面において垂直になる。また電圧を印加した状態（図４Ｂ）においては、中間の部分に位置する液晶分子（１００）が電界の影響によって傾斜角度を変化させる。方形バンプ（２２）の表面に位置する液晶分子（１００）は方形バンプ（２２）の影響によって傾斜角度が電圧を印加しない状態における傾斜角度に近くなる。基板表面の液晶も主に基板の影響を受けて基板の表面上でほぼ垂直になる。長条形パターン（２８）上の基板表面に対して垂直になる液晶分子（１００）も同様に長条形パターン（２８）の影響を受けて基板表面上でほぼ垂直になる。このため液晶分子（１００）はそれぞれのドメイン内においていずれも対称の配列方向になる。よって広視角が得られることは十分に予期できる。
【実施例２】
【００２５】
上述の通り方形バンプ（２２）と十字状バンプ（２４）は、異なるステップにおいて、基板（１０２）上に形成する。図５Ａに本発明の第２の実施例を開示する。図面によれば田字状のバンプを二つのステップにおいて形成する。すなわち先に十字状バンプ（２４）を形成し、次いでロ字状の方形バンプ（２２）を形成し、両者を組み合わせて田字状のバンプを構成する。図５Ｂには図５ＡにおけるＢの領域を側面から見た断面を開示する。Ｂの領域において方形バンプ（２２）と十字状バンプ（２４）は互いに重なり合い、重なり合った部分は高さが高くなる。従って実施例において液晶表示装置のパネル室全体のセルギャップは方形バンプ（２２）と十字状バンプ（２４）とが重なり合う部分によって支持され、スペーサーの代替となる。このためスペーサーの分布が不均一になったり、スペーサーが集中したりするといった問題が発生しない。
本発明の実施例においては、バンプを形成するステップを制限するものではない。即ち先にロ字状の方形バンプ（２２）を形成し更に十字状バンプ（２４）を形成して，スペーサーの代替とする目的を達成しても良い。
【実施例３】
【００２６】
方形バンプ（２２）と十字状バンプ（２４）とを同一のステップにおいて基板（１０２）上に形成した場合、方形バンプ（２２）と十字状バンプ（２４）とには重なり合う部分が形成されない。このため、方形バンプ（２２）と十字状バンプ（２４）とは同様の高さになる。本発明の第３の実施例は図６Ａに開示するように方形バンプ（２２）と十字状バンプ（２４）の交差する部分であるＣの領域に接点（１１０）を形成する。Ｃの領域において方形バンプ（２２）と十字状バンプ（２４）上に接点（１１０）を形成することによって高さが高くなる。従ってセルギャップは方形バンプ（２２）と十字状バンプ（２４）上の接点（１１０）をもってスペーサーの代替とする。このためスペーサーの分布が不均一になったり、スペーサーが集中したりするといった問題が発生しない。
【実施例４】
【００２７】
図７Ａから図７Ｃに第４の実施例を開示する。第４の実施例は図７Ａに開示するように基板上にＨ字状パターン（７４）を形成し、これにロ字状パターン（７２）のバンプ（７０）を組み合わせる。また、他の基板には図７Ｂに開示するように、長条形パターン（７８）を形成し、図７Ｃに開示するように両基板を組み合わせる。
【００２８】
図面から分かるようにバンプはギャップとの間において互いに組み合わせる。長条形パターン（７８）は、バンプ（７０）によって形成される領域を分割する。好ましくは、長条形パターン（７８）がバンプ（７０）によって分割される領域の長辺に平行するように構成する。このため液晶の応答の問題を改善することができる。
【００２９】
Ｈ字状パターン（７４）にロ字状パターン（７２）のバンプ（７０）を組み合わせ、一画素を上下左右の４つの領域に分割する。好ましくは分割する４つの領域の形状とサイズが同一になるように構成し、且つ、上下領域と左右領域の形状とサイズを同一にする。但しその方向は９０°の差を有するように構成する。このため液晶分子がそれぞれの方向に向かう比率が平均化し、好ましい表示の効果と広視角が得られる。
【００３０】
本発明の製造方法に基づく液晶表示装置は、上下左右から液晶表示装置の画面を見た場合、いずれの領域においても同等の輝度とコントラストが得られる。よって、広視角の効果が従来の液晶表示装置に比して更に好ましくなる。
【００３１】
セルギャップは第２の実施例及び第３の実施例に開示するようにＨ字状パターン（７４）と、ロ字状パターン（７２）とが交差する部分によって支持するか、もしくはＨ字状パターン（７４）と、ロ字状パターン（７２）とが交差する部分に接点を形成して支持する。
【００３２】
本発明の実施例によれば、液晶分子がそれぞれの方向に向かう比例が更に均一化され、更に好ましい広角効果（±１６０°以上）が得られる。
【００３３】
本発明は、サイズの異なる表示装置に応用することができ、上述する具体的な実施例以外に画素のサイズに合わせて異なる形状のバンプを基板上に形成し、画素を複数の領域に分割するとともに、他の基板には該バンプによって分割される領域の数に合わせそれぞれの分割される領域内にギャップを形成し、両者を組み合わせて用いる。画素は液晶分子の配列方向が異なる複数の領域に分割し、異なる領域の液晶分子の配列方向によって互いに補い広角効果を達成する。
【実施例５】
【００３４】
図８Ａ、図８Ｂに第５の実施例を開示する。図面によれば、基板上にロ字状パターン（８２）を形成し、＋＋形状パターン（８４）を構成するバンプ（８０）を形成する。他の基板には長条形パターン（８８）を形成して組み合わせ、液晶画素をさらに多くのドメインに分割する。
【実施例６】
【００３５】
図９Ａおよび図９Ｂに第６の実施例を開示する。図面によれば基板上にロ字状パターン（９２）を形成し、更に♯状パターン（９４）を構成するバンプ（９０）を形成し、他の基板にはこれに組み合わせる長条形パターン（９８）を形成し、液晶画素を更に多くのドメインに分割する。
【００３６】
従って、本発明は、液晶表示装置の画素のサイズに合わせて画素を複数の適宜なサイズのドメインに分割する。好ましくは、それぞれのドメインのサイズと形状が同一になるように分割する。このため、広視角の効果が得られるのみならず、それぞれの画素が複数の適宜なサイズのドメインに分割されるため、高速の応答を保持するという特性が得られる。また、本発明は応用する画素のサイズにかかる制限を設けない。
【００３７】
本発明の液晶表示装置は、マルチドメイン垂直配向モード（ＭＨＡ）であって、画素が、液晶分子の配列方法が異なる複数のドメインに分割され、異なる領域における液晶分子の傾斜する方向が互いに補い合う。よって如何なる角度から本発明による液晶表示の画面を見てもコントラストと輝度の差異が大きくならず、広視角の効果を達成することができる。
【００３８】
本発明による液晶表示装置は、２枚の基板を具え、その内の１枚にバンプを形成し、画素を複数のドメインに分割し、他の基板に複数の長条形パターンを形成する。かかる２枚の基板を組立て、液晶を注入すると、該長条形パターンと該バンプとによって該画素を分割してマルチドメイン垂直配向モードの液晶表示装置を構成する。
【００３９】
上述する２枚の基板の内の一には複数のトランジスタによって構成されるアレイを形成し、他の基板にはコモン電極層を形成する。本発明におけるバンプと長条形パターンは、コモン電極層を形成する側の基盤に形成するか、複数のトランジスタを形成する側の基板に形成しない。ただし好ましくはバンプをコモン電極層が形成される基板に形成し、長条形パターンを複数のトランジスタが形成される基板に形成する。かかる構造によってバンプがコモン電極層を形成する基板上のみに形成され、複数のトランジスタを具える基板上にバンプを形成しにくいといった問題を改善することができる。よって製品の歩留まりを高め、生産コストを節減することができる。また、長条形パターン（一般には隙間である）と、バンプの作用は相似していてバンプの間に隙間を設けることによって短時間で液晶を画素内に注入することができる。且つバンプの周囲から光線がもれるという欠点が発生することなくコントラストに影響を与えない。
【００４０】
上述する本発明の液晶表示装置は、２枚の基板上に偏光板（Polarizer）を個別に貼着してもよい。この２枚の偏光板の方向は９０°の差を有するように設ける。また、基板と該基板上に設ける偏光板とのあいだに、少なくとも一以上の補償フィルム（Ｃｏｍｐｅｎｓａｔｉｏｎ  Ｆｉｌｍ）を設けることによって、液晶表示装置の色度の差を改善することができ、視角の角度の範囲を広くすることができる。
【００４１】
本発明による液晶表示装置は、従来の液晶表示装置に比して多くの長所を有する。本発明による液晶表示装置は２枚の基板を具え、そのうちの一にマルチドメインパターンを形成して該液晶表示装置の画素を複数のドメインに分割する。他の基板には複数の長条形パターンを形成し、両基板を組立て液晶を注入すると該長条形パターンと該マルチドメインパターンとによって、該画素を分割しマルチドメイン垂直配向モードの液晶表示装置を構成する。
【００４２】
上述する長条形パターンと、バンプの作用は相似していて、液晶の反応を速くし、且つバンプの周囲から光線がもれるという欠点が発生しない。よって高コントラストが得られる行動時間を短縮し、広視角が得られるなどの特性を有する。また、本発明において、バンプが重なり合う部分によって支持するか、または、バンプ上に接点を形成してスペーサーの代替とする。このためスペーサーの分布が不均一になったり、スペーサーが集中したりするといった問題が発生しない。また、画素を複数の適宜なサイズのドメインに分割するため、サイズの大きい液晶表示装置の画素、もしくはサイズの大きい液晶画素であっても高速の応答時間を保持できるという特性を有する。
【００４３】
以上は本発明の好ましい実施例であって、本発明の実施の範囲を限定するものではない。よって、当業者のなし得る修正、もしくは変更であって、本発明の技術思想の下においてなされ、本発明に対して均等の効果を有するものは、いずれも本発明の特許請求の範囲に属するものである。
【図面の簡単な説明】
【００４４】
【図１】本発明による液晶表示装置の画素単位の説明図である。
【図２Ａ】本発明の第１の実施例におけるバンプと長条形パターンの構造を示した説明図である。
【図２Ｂ】本発明の第１の実施例におけるバンプと長条形パターンの構造を示した他の説明図である。
【図２Ｃ】本発明の第１の実施例におけるバンプと長条形パターンの構造を示したその他の説明図である。
【図３Ａ】本発明の第１の実施例におけるバンプと長条形パターンによって分割されるドメインの液晶の配列状態を示した説明図である。
【図３Ｂ】本発明の第１の実施例におけるバンプと長条形パターンによって分割されるドメインの液晶の配列状態を示した他説明図である。
【図４Ａ】本発明の第１の実施例におけるバンプと長条形パターンによって分割されるドメインの液晶の印加した場合と印加しない場合の配列状態を比較した説明図である。
【図４Ｂ】本発明の第１の実施例におけるバンプと長条形パターンによって分割されるドメインの液晶の印加した場合と印加しない場合の配列状態を比較した他の説明図である。
【図５Ａ】本発明の第２の実施例におけるバンプと田の字状パターンの構造を示した説明図である。
【図５Ｂ】本発明の第２の実施例におけるバンプと田の字状パターンの構造を示した他の説明図である。
【図６Ａ】本発明の第３の実施例におけるバンプと田の字状パターンとの交差部分に形成される接点の構造を示した説明図である。
【図６Ｂ】本発明の第３の実施例におけるバンプと田の字状パターンとの交差部分に形成される接点の構造を示した他の説明図である。
【図７Ａ】本発明の第４の実施例におけるＨ字状パターンと長条形パターンとの構造を示した説明図である。
【図７Ｂ】本発明の第４の実施例におけるＨ字状パターンと長条形パターンとの構造を示した他の説明図である。
【図７Ｃ】本発明の第４の実施例におけるＨ字状パターンと長条形パターンとの構造を示したその他説明図である。
【図８Ａ】本発明の第５の実施例における＋＋状パターンと長条形パターンの他構造を示した説明図である。
【図８Ｂ】本発明の第５の実施例における＋＋状パターンと長条形パターンの他構造を示した他の説明図である。
【図９Ａ】本発明の第６の実施例におけるシャープパターンと長条形パターンの他構造を示した説明図である。
【図９Ｂ】本発明の第６の実施例におけるシャープパターンと長条形パターンの他構造を示した他の説明図である。
【符号の説明】
【００４５】
１０        画素電極
１２        ゲートライン
１４        ビットライン
１６        トランジスタ
２０        マルチドメインパターン
２２        方形バンプ
２４        十字状バンプ
２６        ドメイン
２８        長条形パターン
７０        バンプ
７２        ロ字状パターン
７４        Ｈ字状パターン
７６        ドメイン
７８        長条形パターン
８０        バンプ
８２        ロ字状パターン
８４        ＋＋状パターン
８６        ドメイン
８８        長条形パターン
９０        バンプ
９２        ロ字状パターン
９４        ＃状パターン
９６        ドメイン
９８        長条形パターン
１００      液晶分子
１０２      ロ字状パターン
１０４      基板
１０６      層状構造
１１０      接点
【図１】
2005173550.tif 000003
【図２Ａ】
2005173550.tif 000004
【図２Ｂ】
2005173550.tif 000005
【図２Ｃ】
2005173550.tif 000006
【図３Ａ】
2005173550.tif 000007
【図３Ｂ】
2005173550.tif 000008
【図４Ａ】
2005173550.tif 000009
【図４Ｂ】
2005173550.tif 000010
【図５Ａ】
2005173550.tif 000011
【図５Ｂ】
2005173550.tif 000012
【図６Ａ】
2005173550.tif 000013
【図６Ｂ】
2005173550.tif 000014
【図７Ａ】
2005173550.tif 000015
【図７Ｂ】
2005173550.tif 000016
【図７Ｃ】
2005173550.tif 000017
【図８Ａ】
2005173550.tif 000018
【図８Ｂ】
2005173550.tif 000019
【図９Ａ】
2005173550.tif 000020
【図９Ｂ】
2005173550.tif 000021